(57)【要約】【課題】  草等を抜き取った後、元の位置に速やかに復帰させ、且つ、足動作で作業を行い草等をその根元から抜き取ることで、作業効率が向上され且つ作用負担が軽減される草抜き器具を提供する。【解決手段】草抜き器具１は、操作部２と、操作部２の他端と回転自在に連結される可動部３と、操作部２と可動部との連結部に取り付けられて可動部３に付勢力を与える付勢手段４とを備えている。可動部３は、切り欠き７ａが形成された抜き取り用刃部７と、外部からの力を受ける足踏み部８と、これらの間に配される支持部９とを有している。足踏み部８を足で踏むことによって、可動部３は、支持部９を支点として正回転し、その正回転と逆方向に作用する付勢手段４の付勢力を受けることによって逆回転する。【選択図】  図１
2010057436.tif 000002
【特許請求の範囲】
【請求項１】
取っ手が設けられた操作部と、前記操作部に回転可能に連結される可動部と、可動した可動部に付勢力を与える付勢手段とを備え、
前記可動部は、抜き取り用刃部と、足を掛けて体重の力をかける足踏み部と、これら抜き取り用刃部と足踏み部との間に配置される支持部とを有し、前記足踏み部に足を掛けて体重の力をかけることによって前記支持部を支点として正回転させ、その正回転と逆方向に作用する前記付勢手段の付勢力によって逆回転させることを特徴とする草抜き器具。
【請求項２】
前記操作部には、抜き取り用刃部を足で押し込むためのステップ台が前記足踏み部の上に備えられていることを特徴とする請求項１記載の草抜き器具。
【請求項３】
前記支持部は、前記可動部に対して回転可能に設けられているローラであるか、又は、前記可動部に対して着脱可能であることを特徴とする請求項１記載の草抜き器具。
【請求項４】
前記可動部は、操作部の下方側に軸を回して連結され、前記付勢手段は可動部と操作部とをその上下方向に連結する引張コイルバネであることを特徴とする請求項１記載の草抜き器具。
【発明の詳細な説明】
【技術分野】
【０００１】
本発明は、土や芝生などに生えている雑草等を根元から抜き取ったり刈り取ったりする草抜き器具に関する。
【背景技術】
【０００２】
土や芝生などに生えている雑草は、芝生等の生育を阻害するためその根元から抜き取って繁殖を防ぐ必要があり、そのために、様々な種類の草抜き器具が提案されている。例えば、特許文献１の草抜き器具では、操作部をＬ状に曲げ、その曲げ部より長い方の端部に取っ手を付け、更に曲げ部付近に足踏み部を取り付け、その曲げ部より短い方の端部は、先端部をつぶしてＶ状の切り欠き部をつくり、更にＬ状に曲げた側を斜めに補強部材を付けた構造をしている。この草抜き器具では、その先端部に形成されたＶ状の切り欠き部内に草等を挟み込み、てこの原理により、曲げ部を支点として取っ手を体に引き寄せるように力を加えることで草等を押し上げるように抜き取ることができる。
また、特許文献２の草抜き器具では、内部に上下動可能な連結ロッドを有する中空筒状の主管を設け、この主管の上部に設けた操作グリップをその連結ロッドに連結し、この連結ロッドの下部に地面に突き刺して雑草の根を挟持する開閉可能なチャック手段を取り付けた構造をしている。この草抜き器具では、チャック手段内に草等を挟み込み、操作グリップで連結ロッドを上下動してチャック手段を開閉操作することで草等を引き上げるように抜き取ることができる。
【特許文献１】実用新案登録番号第３０１４５６５号公報
【特許文献２】実用新案登録番号第３０４０９７４号公報
【発明の開示】
【発明が解決しようとする課題】
【０００３】
しかしながら、上述した特許文献１及び特許文献２のような従来の草抜き器具では、雑草を抜き終えた後、その元の状態に復帰させるために、手で力を加えなければならない。そのため、抜き取り作業以外にも労力を要し、作業負担が大きいと共に、元の状態に復帰させるのに時間がかかるので作業効率も悪いという問題があった。また、手動作で草等を抜き取る構造であるため、手に対する負担が大きい。特に、特許文献２では、てこの原理を用いていないので、作業者に対する負担は非常に大きい。さらに、雑草等の根や蔓などは、できるだけ地中深く掘り下げて抜き取ることが有効であるが（例えば、シャベルで根こそぎ取ることが有効であるが）、特許文献１等では、地中深く掘り下げて抜き取ることができないか（操作部が大きく曲がっていることで、抜き取り用刃部が雑草に交わるように挿し込まれて途中で切れてしまい、根元から抜き取れないことがある。）、シャベル等ではその作業負担は大きい。
【０００４】
そこで、本発明の目的は、草等の根元まで抜き取り用刃部を及ぼし、足動作で草（蔓草）等をその根元から抜き取り、草等を抜き取った後では、作業者の負担をかけずに元の位置に速やかに復帰させて、連続して草取りことができる草抜き器具を提供することにある。
【課題を解決するための手段】
【０００５】
本発明の請求項１記載の草抜き器具は、先端に取っ手が設けられた操作部と、前記操作部の他端と回転自在に連結される可動部と、前記操作部と前記可動部との連結部に取り付けられ、前記可動部に付勢力を与える付勢手段とを備える草抜き器具であって、前記可動部は、抜き取り用刃部と、他端部に外部からの力を受ける足踏み部と、それら抜き取り用刃部と足踏み部との間に配置される支持部とを有し、前記足踏み部に足を掛けて体重の力をかけることによって前記支持部を支点として正回転させ、その正回転と逆方向に作用する前記付勢手段の付勢力によって逆回転させることを特徴とする。
【０００６】
本発明によれば、手で操作部の取っ手を握った状態で、足踏み部に足を掛けて、上記付勢手段の付勢手段に抗して、抜き取り用刃部を草の根っ子や地表に張る根や茎等を目がけて足を踏んで体重をかける。上記支持部が地面等に接すると、この支持部を支点として可動部の抜き取り用刃部を正回転させ、地面内に突き刺さる抜き取り用刃部を草等を挟持したまま地面外へ出させるようにすることで、草等が根元から抜き取られる。足踏み部から足を離すと、可動部は付勢手段の付勢力により逆回転して、可動部は元の状態に復帰する。したがって、可動部の可動した後の操作を行うことなく、連続的に草抜き作業を行うことができる。
【０００７】
本発明の請求項２に記載の草抜き器具は、前記操作部には、抜き取り用刃部を足で押し込むためのステップ台が前記足踏み部の上に備えられていることを特徴とする。
【０００８】
本発明によれば、抜き取り用刃部を地中に足で押し込むためのステップ台が備えられていることで、抜き取り用刃部を深く挿し込めるが、上記足踏み部の上にこれとは別に設けられているので、足踏み部の操作に空回り等の悪影響を与えることがない。
【０００９】
本発明の請求項３に記載の草抜き器具は、前記支持部が前記可動部に対して回転可能に設けられているローラであるか、又は、前記可動部に対して着脱可能であることを特徴とする。
【００１０】
本発明によれば、支持部が可動部に対して回転可能に設けられているローラであることで、支持部を地面等に転がして草抜き器具を移動させることができる。これより、草抜き器具を容易に持ち運べて、持ち運びの際の負担が軽減される。また、支持部が可動部に対して着脱可能であることで、例えば、地面等の挿し込み面が柔らかいために支点となる支持部が深く沈んでしまう場合でも、比較的大きな形状の支持部を交換して装着することで、抜き取り作業を支障なく行えるようになる。
【００１１】
本発明の請求項４に記載の草抜き器具は、前記可動部は、操作部の下方側に軸を回して連結され、前記付勢手段は可動部と操作部とをその上下方向に連結する引張コイルバネであることを特徴とする。
【００１２】
本発明によれば、付勢手段が土に差し込まれる箇所には付勢手段を取り付けずに済むと共に、可動部の抜き取り用刃部の土への差し込み角度を操作部の真下に位置させるか、それ以上の後方側に位置させるような場合でも、上記付勢手段である引張コイルバネが上記位置に確実に復帰させる働きをさせることとなる。
【発明の効果】
【００１３】
本発明の草抜き器具は、足踏み部に足を掛けて体重の力をかけると、可動部の抜き取り用刃部が支持部を支点として正回転して草の根っ子や蔓や茎等を抜くが、その正回転と逆方向に作用する付勢手段の付勢力により逆回転して元の状態に自動的に復帰するので、元の状態に復帰させるための労力が要らず作業負担が軽減されると共に、抜き終えた後すぐに抜き取り作業に取りかかれるので作業効率が向上する。また、足で踏むことで可動部を回転動作させて草等を抜き取る構造なので、手動作よりも強い力で草等を抜き取ることができる。
【発明を実施するための最良の形態】
【００１４】
以下、図面を引用しながら本発明の草抜き器具の実施の形態を説明する。
【００１５】
（第１の実施の形態）
図１は、本発明の実施の形態に係る草抜き器具を示す外観斜視図である。そして、図２は、図１の点線部分における正面図であり、図３は、図１の点線部分における側面図である。
【００１６】
草抜き器具１は、図１〜図３に示すように、操作部２と、操作部２と連結される可動部３と、可動させた可動部３を元の位置に復帰させる付勢手段４とを備える。この草抜き器具１は、芝生等に生殖する根深い雑草を根元から抜き取る場合を例に説明するが、地中や地表を這うように生える蔓草等を抜き取ったり、切断するために使用することができるものである。
【００１７】
操作部２は、中空で筒状のパイプ等が用いられる。操作部２の上方先端には、草抜き器具１を手で支持するための取っ手５が設けられ、Ｔ字状を呈する。操作部２には、足で踏むことで抜き取り用刃部７に下向きの力を加えられるステップ台１０が備えられている。これより、挿し込みの際、手の力だけでなく足の力も加わり、抜き取り用刃部７を深く差し込めることができる。これは、地面等が固い場合に有効である。操作部２としては、その長さを調節できる機能が備え、個々の作業者にとって最適な高さに調節することが可能である。例えば、取っ手５の高さが作業者の腰の位置近傍に来るように操作部２の高さを調節することが可能である。
【００１８】
可動部３は、操作部２の下方他端に軸６を介して連結され、回転自在に支持されている。可動部３は、一方の端部に抜き取り用刃部７と、他方の端部に足踏み部８と、抜き取り用刃部７と足踏み部８との間に配置された支持部９とを有している。本実施の形態では、支持部９は、抜き取り用刃部７の基端側に取り付けられている。可動部３は、抜き取り用刃部７の先端から操作部２の取っ手５側の先端まで、側面視においてほぼ直線状となるように操作部２に取り付けられている。これより、地面等に対して抜き取り用刃部７をほぼ垂直方向に差し込めるように構成されている。
【００１９】
抜き取り用刃部７は、地面等に差し込まれて雑草等を挟持するものであり、図２及び図３に示すように、正面視においてＶ状の切り欠き７ａと、側面視においてその先端が鋭角に形成されている。足踏み部８は、抜き取り時に足で踏み込むためのものであり、図３に示すように、板状に形成され、側面視において抜き取り用刃部７に対して略直角に配置されている。支持部９は、筒状で可動部３を挟んで付勢手段４と対向するように配置されている。この支持部９は、可動部３に溶着等により取り付けられている。
【００２０】
付勢手段４は、可動部３に付勢力を与え、軸６を中心に回転した可動部３を元に戻すものであり、操作部２と可動部３とを連結する軸６に対して巻き回すように取り付けられるバネである。ねじりコイルバネが使用され、バネ４の一方端部４ａと他方端部４ａは、操作部２の二箇所の突出部１２，１２に係止させ、バネの中間部分４ｂは、コ字状になっており、抜き取り用刃部７の基端側表面を押さえるように取り付けられている。すなわち、付勢手段４は、可動部３の横方向全体に渡って配置され、抜き取り前の状態で可動部３の表面に接していることで、支持部９を支点として抜き取り用刃部７を正回転させると、付勢手段４はその正回転と逆方向の付勢力を抜き取り用刃部７に与え、これにより、可動部３は、抜き取った後、速やかに逆回転して元の状態に復帰する構造である。ここで、上記付勢手段４のコ字状中間部４ｂは、抜き取り前の状態で可動部３の表面から離れていてもよい。この場合には、可動部３が正回転する間に付勢手段４と可動部３の表面とが接する位置に配置されていればよい。また、上記ねじりコイルバネ４は、一つであるが、２個使用して、各々一方は操作部２の突出部１２に係止させ、他方は抜き取り用刃部７の基端側表面やここに配される突起に係止させ、中間部分を軸６に巻き回して取り付けても良い。上記のようにコイル部分が軸６に巻き回されることで、軸６を中心に回転した可動部６をその回転した方向とは逆に強力に元に戻す働きをする。
【００２１】
次に、本発明に係る草抜き器具の動作について説明する。図４〜図６は、本実施の形態における草抜き器具の使用例を説明する図であり、図４は、図１の草抜き器具を地面等に突き刺した状態(抜き取り前)を示す図、図５は、図１の草抜き器具の足踏み部を足で踏んだ状態（抜き取り中）を示す図、図６は、図１の草抜き器具の足踏み部から足を離した状態（抜き取り後）を示す図である。
【００２２】
まず、図４に示すように、手で操作部２の取っ手５を握った状態で、草抜き器具１の抜き取り用刃部７を草等の近傍において、その根っ子を目がけて突き刺す。このとき、ステップ台１０に足を掛けて体重を加え、抜き取り用刃部７を深く地面等に突き刺すようにする。深く差し込むときは、抜き取り用刃部７が地面等に対してほぼ垂直となるように突き刺す。次に、図５に示すように、ステップ台１０の下方の足踏み部８に足で踏み代えて、地面等に接した支持部９を支点として抜き取り用刃部７を上向きに正回転させる（図５における矢印方向）。この可動部３の回転は、上記ねじりコイルバネ４の付勢力に抗して回転させるものであるが、これにより、地面内に突き刺さっていた抜き取り用刃部７が草等を挟持したまま地面外へ出て草等が根元から抜き取られる。草等を抜き取った後は、足踏み部８から足を離して、そのまま手で取っ手を握って下に向けた状態にしておけば良い。すなわち、中に持ち上げた状態にすることで、可動部３は付勢手段４の付勢力により軸６を中心として逆回転するので、図６に示すように、可動部３は、速やかに元の状態（抜き取り前の状態）に復帰する。これより、抜き取った後、元の状態に戻す力が要らず、すぐに抜き取り作業を開始できるので、作業負担が少なく、且つ、作業効率が向上する。また、抜き取り作業を最初から最後までほとんど姿勢を崩すことなく行えるので、腰への負担も少なくなる。また、ステップ台１０や足踏み部８に足を掛ける方向に対して同じ向きで抜き取り用刃部７が回転するので（図５中の矢印参照）、体重をかける方向では、抜き取り用刃部７が身体に向かうようなことがないために、安全な作業で草取りが行える。
【００２３】
本実施の形態では、上記支持部９は、可動部３に溶着やネジにより取り付けられ固定されていたが、図９に示すように、支持部４９は可動部３に対して冶具４０により回転可能に取り付けられているローラであってもよい。この場合、支持部４９を地面等に転がして草抜き器具４１を移動させることができる。これより、草抜き器具を持ち運ぶ際の負担が軽減される。
【００２４】
（第２の実施の形態）
図７は、本発明の第２の実施形態における草抜き器具を説明する部分正面図である。この第２の実施の形態では、抜き取り用刃部７の切り欠きが１つである第1の実施の形態に対し、抜き取り用刃部７の切り欠きが複数である点が異なる。それ以外は、第１の実施の形態と同様であるので、第１の実施の形態と同一の番号を付し、その説明を省略する。
【００２５】
草抜き器具２１は、図７に示すように、操作部２の端部と連結される可動部３と、操作部２と可動部３との連結部に取り付けられている付勢手段４とを有している。
可動部３は、操作部２に軸６を介して連結され、回転自在に支持されている。可動部３は、一方の端部に抜き取り用刃部２７と、他方の端部に足踏み部２８と、抜き取り用刃部２７と足踏み部２８との間に配置された支持部２９とを有している。本発明に係る草抜き器具２１では、抜き取り用刃部２７が、正面視においてＶ状の切り欠き２７ａが複数形成されているので、一回の抜き取り作業で多くの草等を挟持して抜き取ることができ、作業効率がさらに向上する。したがって、何本もの根が這うように生える草や蔓（例えば、ゴルフ場等芝の近くに生える草や、地中や地表面に這うように生えている蔓等）でも、上記複数の刃部２７により効率的に草や蔓等を抜き取ったり、上記切り欠き２７ａで切り取ったりすることができる。地表面に這うように生えている蔓や草等を抜き取る場合は、上記ステップ台１０を使用せず、足で足踏み部８を操作して抜き取ったり切り取ったりする。なお、ステップ台１０は、足踏み部２８とは別個に配されることで、抜き取り用刃部２７を有する可動部３を地中深く差し込むときは、足踏み部２８を操作することなく、その上方位置のステップ台１０に足を掛けて体重をかければよく、地中に差し込むときに可動部３の回転動作をさせることはない。
【００２６】
（第３の実施の形態）
図８は、本発明の第３の実施形態における草抜き器具を説明する部分側面図である。この第３の実施形態では、支持部９が溶着等により固定して取り付けられている第１の実施形態に対し、支持部が着脱可能に取り付けられている点が異なる。なお、それ以外は、第１実施形態と同様であるので、第１実施形態と同一の番号を付し、その説明を省略する。
草抜き器具３１は、図８に示すように、操作部２と、操作部２の端部と連結される可動部３と、操作部２と可動部３との連結部に取り付けられている付勢手段４とを有している。
【００２７】
可動部３は、操作部２の他端に軸６を介して連結され、回転自在に支持されている。可動部３は、一方の端部に抜き取り用刃部７と、他方の端部に足踏み部８と、抜き取り用刃部７と足踏み部８との間に配置された支持部３９とを有している。本発明に係る草抜き器具３１では、支持部３９は、可動部３にネジ３０により取り付けられており、着脱可能である。これより、支持部３９は容易に取り替えられる。従って、例えば、地面等が雨等により柔らかく支持部３９が地面等に深く沈んでしまう場合でも、比較的大きな形状の支持部３９に交換して、それを装着することで、支持部３９が沈まないようにして、抜き取り作業を支障なく行うことができる。
【００２８】
（第４の実施の形態）
図１０は、本発明の第４の実施形態における草抜き器具を説明する部分側面図であり、図１１は、図１０の草抜き器具を矢印Ｘから見た模式図である。図１２は、上記第４の実施形態における草抜き器具の使用例を説明する図である。
第４の実施形態の草抜き器具５１は、付勢手段５４が足踏み部５８と足踏み部５８より上方にある操作部２の突出部５２との間に配置される引張コイルバネである。
【００２９】
まず、本実施の形態のステップ台５０は、図１１に示すように、操作部２に対して外側に張り出すようにＶ字形状に取り付けられている。これより、場所に応じて踏み足を変えて、Ｖ字形状の左右に足から体重をかけることができる。これは、挿し込む場所に木などの障害がある場合等、片側からしか挿し込めない場合や、抜き取り用刃部７の斜め方向に体重をかける場合にも有効である。
【００３０】
可動部３は、操作部２の他端に軸６を介して連結され、回転自在に支持されている。可動部３は、一方の端部に抜き取り用刃部７と、他方の端部に足踏み部５８と、抜き取り用刃部７と足踏み部５８との間に配置された支持部９とを有している。足踏み部５８は、操作部２の後方側において、斜め上方に向かって取り付けられており、この操作部２の上面に付勢手段５４の端部５４ａが取り付けられる突出部５８ａが設けられている。そして、抜き取り用刃部７の先端は、操作部２の延長線（図１２における点線）より作業者側（図１２における右側、つまり操作部２の後方側）に位置している。
【００３１】
付勢手段５４は、可動部３に付勢力を与え、軸６を中心に回転した可動部３を元に戻す引張コイルバネであり、バネ５４の一方端部５４ａと他方端部５４ａは、それぞれ操作部２の突出部５２と足踏み部５８の突出部５８ａに取り付けられている。すなわち、足踏み部５８が踏まれ下向きの力がかかると、支持部９を支点として抜き取り用刃部７が正回転するが、付勢手段５４は引っ張られて、上向きの付勢力を足踏み部５８に対して与える。これより、可動部３は、抜き取った後、速やかに逆回転して元の状態に復帰する構造である。上記のように、付勢手段５４が足踏み部５８と突出部５４ａとの間に配置されることで、土に可動部３を挿し込みの際に付勢手段５４が地面等の中に入ることがなく、錆びて疲労することはない。また、付勢手段５４には、多く普及される引張コイルバネが使用されるため、特別に製作しなくても市販品で対応することができる。これより、製作時間が短縮されると共に製作コストが安価なものとなる。
【００３２】
次に、本発明に係る草抜き器具の動作について説明する。図１２に示すように、手で操作部２の取っ手５を握った状態で、草抜き器具５１の抜き取り用刃部７を草等の近傍において、その根っ子を目がけて突き刺す。このとき、Ｖ字形状のステップ台５０に足（図では右足）を掛けて体重を加え、抜き取り用刃部７を深く地面等に突き刺すようにする。本実施の形態では、抜き取り用刃部７の先端が操作部２の延長線（図１２における点線）より作業者側（図１２における右側）に位置していることで、地面等に対して確実に垂直となるように突き刺されて、草等の根元に対して深く差し込まれることができる。次に、ステップ台５０の下方の足踏み部５８に足で踏み代えて、地面等に接した支持部９を支点として抜き取り用刃部７を上向きに正回転させる（図５参照）。この回転により、地面内に突き刺さっていた抜き取り用刃部７が草等を挟持したまま地面外へ出て草等が根元から抜き取られる。草等を抜き取った後は、足踏み部５８から足を離して、そのまま手で取っ手を握って下に向けた状態にしておけば良い。すなわち、中に持ち上げた状態にすることで、可動部３は付勢手段５４の付勢力により軸６を中心として逆回転するので、速やかに元の状態（抜き取り前の状態）に復帰する。
【００３３】
本実施の形態では、付勢手段５４は、足踏み部５８と足踏み部５８より上方にある突出部５２との間に配置される引張コイルバネ１つのみであったが、図１３に示すように、付勢手段６４は、上記バネ６４ａと、第１の実施の形態のバネ６４ｂとの２つが使用されてもよい。すなわち、付勢手段６４は、足踏み部６８と足踏み部６８より上方にある突出部６２との間に配置される引張コイルバネ６４ａと、操作部２と可動部３とを連結する軸６に対して巻き回すように取り付けられるねじりコイルバネ６４ｂとから構成される。この場合、付勢手段６４が２つであることで、可動部３に対する付勢力が強まり、可動部３を直ちに元の状態に復帰させることができる。また、付勢手段６４のうちどちらか一方が機能しない場合、例えば、ねじりコイルバネ６４ｂのコ字状中間部が抜き取り前の状態で可動部３の表面から離れていて、可動部３が正回転する間に可動部３の表面と接しない場合には、ねじりコイルバネ６４ｂは可動部３に付勢力を与えないが、引張コイルバネ６４ａが可動部３に付勢力を与える。このように、相互に付勢力を与える役割を担保することができる。
【００３４】
以上、本発明の実施の形態について図面に基づいて説明したが、具体的な構成は、これらの実施の形態に限られるものではなく、発明の要旨を逸脱しない範囲で変更可能である。例えば、抜き取り用刃部７は、Ｖ字形状であったが、これに限られるようなものではないことは勿論であり、可動部３の回転を防止するロック手段を設けること等は実施に応じ可能である。
【図面の簡単な説明】
【００３５】
【図１】本発明の第１の実施の形態に係る草抜き器具を示す外観斜視図である。
【図２】図１の点線部分における正面図である。
【図３】図１の点線部分における側面図である。
【図４】上記第１の実施の形態における草抜き器具の使用例(抜き取り前)を説明する図である。
【図５】上記第１の実施の形態における草抜き器具の使用例(抜き取り中)を説明する図である。
【図６】上記第１の実施の形態における草抜き器具の使用例(抜き取り後)を説明する図である。
【図７】本発明の第２の実施形態における草抜き器具を説明する部分正面図である。
【図８】本発明の第３の実施形態における草抜き器具を説明する部分側面図である。
【図９】本発明の変形例における草抜き器具を説明する部分側面図である。
【図１０】本発明の第４の実施形態における草抜き器具を説明する部分側面図である。
【図１１】図１０の草抜き器具を矢印Ｘから見た模式図である。
【図１２】上記第４の実施の形態における草抜き器具の使用例を説明する図である。
【図１３】本発明の変形例における草抜き器具を説明する部分側面図である。
【符号の説明】
【００３６】
１，２１，３１，５１  草抜き器具、
２                    操作部、
３                    可動部、
４，６４ｂ            付勢手段（ねじりコイルバネ）、
５４，６４ａ          付勢手段（引張コイルバネ）、
５                    取っ手、
６                    軸、
７，２７              抜き取り用刃部、
８，２８，５８，６８  足踏み部、
９、２９、３９，４９  支持部、
１０，５０            ステップ台
【図１】
2010057436.tif 000003
【図２】
2010057436.tif 000004
【図３】
2010057436.tif 000005
【図４】
2010057436.tif 000006
【図５】
2010057436.tif 000007
【図６】
2010057436.tif 000008
【図７】
2010057436.tif 000009
【図８】
2010057436.tif 000010
【図９】
2010057436.tif 000011
【図１０】
2010057436.tif 000012
【図１１】
2010057436.tif 000013
【図１２】
2010057436.tif 000014
【図１３】
2010057436.tif 000015